(57)【要約】コントラスト制御及びクリッピング装置は、ピクチャーの鮮明さ強調のため各画素に適用される強調の最大レンジを決定するように構成される。この最大レンジは、通常の畳込みカーネルモジュール及び利得制御モジュールによって決定される強調を制限するため使用される。好ましくは、最大レンジは、決定された畳込み値とは独立であり、ピクチャーの鮮明さ強調のため使用されるモジュール間での必要帯域幅を最小限に抑える。必要帯域幅が減少することによって、ハードウェアとソフトウェアの間で作業を効率的に分配できるようになり、全システムの設計作業が容易になる。マルチメディア・アプリケーションの場合、プロセッサとサブコンポーネント間で転送されるデータ量は、実質的に減少し、効率的な分配によって並行処理が実現し易くなる。強調の最大レンジは、計算的に簡単なアルゴリズムを使用して現在フィールド内の画素値に基づいて決定され、ピクチャーの鮮明さ強調のため使用されるモジュール間の時間的依存性によって生じる異常性は最小限に抑えられる。さらに、鮮明さ強調は、平均強調レンジ、全体雑音測定量などを含む全体的なピクチャーレベル特性に基づいて動的に調整される。【特許請求の範囲】
【請求項１】
画素配列中の画素に関連した高周波係数を決定するように構成されたフィルタと、
高周波強調項を生成するため高周波係数に適用される利得係数を決定するよう構成された一つ以上の利得制御モジュールと、
画素に関連した値及び当該値の許容可能レンジに基づいて、画素に関連した画素強調限界を決定するよう構成されたクリッピング制御モジュールと、
高周波強調項及び画素強調限界を取得し、鮮明さの強調された画素出力値の決定を容易化する画素強調値を生成するよう構成された強調リミッタと、
を有する鮮明さ強調システム。
【請求項２】
上記フィルタは、画素に関連した値及び当該画素に隣接した画素に関連した値に基づいて高周波係数を生ずるよう構成された畳込みカーネルを具備している、請求項１記載の鮮明さ強調システム。
【請求項３】
上記一つ以上の利得制御モジュールは、ダイナミックレンジ制御モジュールと適応コアリングモジュールのうちの少なくとも一方を具備している、請求項１記載の鮮明さ強調システム。
【請求項４】
上記クリッピング制御モジュールは、更にコントラスト制御を実行するよう構成されている、請求項１記載の鮮明さ強調システム。
【請求項５】
上記クリッピング制御モジュールは、
画素の値から画素の最小許容可能値を差し引いた値と、
画素の最大許容可能値から画素の値を差し引いた値と、
のうちの最小値に基づいて画素強調限界を決定するよう構成されている、請求項４記載の鮮明さ強調システム。
【請求項６】
上記クリッピング制御モジュールは、画素配列を形成する複数のブロック中の各ブロック内の複数の画素に関連した強調限界に基づいて、画素強調限界を決定するよう構成されている、請求項１記載の鮮明さ強調システム。
【請求項７】
上記クリッピング制御モジュールは、画素の近傍にある複数のブロック中の各ブロックに関連したブロック強調限界の双一次補間に基づいて画素強調限界を決定するよう構成され、
ブロック強調限界は複数のブロック中の各ブロック内の画素値に基づいている、
請求項１記載の鮮明さ強調システム。
【請求項８】
ブロック強調限界は、
各ブロック内の各画素値から最小許容可能画素値を差し引いた値と、
最大許容可能画素値から各ブロック内の各画素値を差し引いた値と、
のうちの最小値に基づいている、
請求項７記載の鮮明さ強調システム。
【請求項９】
画素配列の画素に関連した高周波係数を決定する手順と、
高周波強調項を生成するため高周波係数に適用される利得係数を決定する手順と、
画素に関連した値及び当該値の許容可能レンジだけに基づいて画素に関連した画素強調限界を決定する手順と、
画素強調限界に基づいて高周波強調項を制限する手順と、
を有する鮮明さ強調方法。
【請求項１０】
画素値が関連付けられた複数の画素により構成されたピクチャーのソースと、
上記ピクチャーのソースに動作的に接続され、鮮明さが強調されたピクチャーを形成するため、一つ以上の画素値を修正することによりピクチャーの高周波成分を強調するよう構成された鮮明さ強調装置と、
上記鮮明さ強調装置に動作的に接続され、上記鮮明さが強調されたピクチャーを表示するよう構成されたディスプレイ装置と、
を具備し、
上記鮮明さ強調装置は、
画素配列中の画素に関連した高周波係数を決定するように構成されたフィルタと、
高周波強調項を生成するため高周波係数に適用される利得係数を決定するよう構成された一つ以上の利得制御モジュールと、
画素に関連した値及び当該値の許容可能レンジに基づいて、画素に関連した画素強調限界を決定するよう構成されたクリッピング制御モジュールと、
高周波強調項及び画素強調限界を取得し、鮮明さの強調された画素出力値の決定を容易化する画素強調値を生成するよう構成された強調リミッタと、
を含む、
ビデオディスプレイシステム。
【請求項１１】
上記フィルタは、各画素値及び対応した隣接の画素値に基づいて高周波係数を生ずるよう構成された畳込みカーネルを具備している、請求項１０記載のビデオディスプレイシステム。
【請求項１２】
上記クリッピング制御モジュールは、
各画素値から最小許容可能画素値を差し引いた値と、
最大許容可能画素値から各画素値を差し引いた値と、
のうちの最小値に基づいて画素強調限界を決定するよう構成されている、請求項１０記載のビデオディスプレイシステム。
【請求項１３】
上記クリッピング制御モジュールは、ピクチャーを形成する複数のブロック中の各ブロックに関連したブロック強調厳戒に基づいて、画素強調限界を決定するよう構成されている、請求項１０記載のビデオディスプレイシステム。
【発明の詳細な説明】
【０００１】
〔発明の背景〕
１．発明の分野
本発明は、映像処理の分野に係り、特に、ビデオ画像を強調するため使用される処理に関する。
【０００２】
２．関連技術の説明
画像の「鮮明さ」は、画像の高周波成分を強調することによって、すなわち、変化が滑らかではなく急峻になるように画像のエッジ及びその他の部分を目立たせることによって改良される。しかし、高周波強調は、ある種の変化を過度に強調しすぎ、その結果として、画像の斑点、及び、その他の視覚的に受け入れられない異常を生ずることがある。
【０００３】
図１は、従来の鮮明さ強調装置１００のブロック図である。鮮明さ強調装置１００は、ピクチャーの高周波成分を割り出すため高周波フィルタとして機能する畳込み（コンボリューション）カーネル１５０を含む。通常、テレビ画面の画像は、一般的に、ピクチャーと呼ばれる。この明細書中、画像という用語とピクチャーという用語は、どちらを使用して構わない。画像及びピクチャーは、データに対応した視覚的な描画を生ずるように処理することができるデータ集合の全部若しくは一部を含むように意図されている。畳込みカーネル１５０は、近傍画素の視覚的特性に対する画素の視覚的特性に基づいて、画像の画素毎に畳込み値を計算する。このような畳込み値を得るため一般的に使用される畳込みカーネルは、以下の形で表わされる。
【０００４】
【数１】
2004513569.tif 000002
このカーネルの中心は処理対象画素に対応する。本例の場合、処理対象画素の値は、＋１倍され、真上、真下、左隣、及び、右隣の画素は、それぞれ、−１／４倍され、これらの乗算結果の和が、処理対象画素の畳込み値として決定される。たとえば、処理対象画素が、均一な画素値の領域に存在する場合、この画素値から、近傍の４個の同じ画素値の４分の１を差し引いた結果は零である。すなわち、均一画素値の領域内で、強調は行われない。逆に、処理対象画素の画素値が１００であり、周囲の画素の画素値が４０であるならば、畳込み値は６０（＝１００−１０−１０−１０−１０）である。すなわち、近傍画素に対する処理対象が素の画素値の変化が大きくなると、畳込み値も大きくなる。この畳込み値Ｃは、利得係数ｇによって、掛け算器１７０によって適切に拡大縮小され、加算器１８０で元の原画素値に加算され、鮮明さ（画質）の強調された画素値Ｙｏｕｔが以下の式：
Ｙｏｕｔ＝Ｙｉｎ＋ｇ＊Ｃ　　　　　（１）
に従って得られる。
【０００５】
本例の場合、適切な利得係数ｇは、４段のプロセス１１０〜１４０によって決定される。システムのコストを下げる場合、より少ない段数のプロセスが使用され、決定される適切な利得係数の品質は、それに応じて低下する。或いは、使用されるプロセスを追加してもよい。コントラスト制御モジュール１１０は、コントラスト異常を伴うことなく使用可能な最大利得ｇ１を決定する。すなわち、畳込み値Ｃが正であり、値Ｙｉｎが相対的に暗いエリア（値Ｙｉｎが小さいエリア）に対応する場合、強調が大きくなると、高コントラスト性の白の値（値Ｙｏｕｔが大きい）が生成され、白い斑点として現れる。同様に、畳込み値Ｃが負であり、値Ｙｉｎが相対的に明るいエリア（値Ｙｉｎが大きいエリア）に対応する場合、大きい負側の強調が黒い斑点（値Ｙｏｕｔが小さい）として現れる。たとえば、一般的に使用される画素値のレンジは、０〜２５５であり、これにより、画素値は、１バイトとして処理することが可能になる。コントラスト制御モジュール１１０で一般的に使用される最大利得係数ｇ１は、
ｇ１＝Ｙｉｎ／２５５　　　　　　　　Ｃ＞０の場合　　　（２ａ）
ｇ１＝（２５５−Ｙｉｎ）／２５５　　Ｃ≦０の場合　　　（２ｂ）
のように表わされる。
【０００６】
ダイナミックレンジ制御モジュール１２０は、過剰なオーバーシュートを抑制するため、同様の最大利得係数ｇ２を決定し、適応コアリングモジュール１３０は、雑音圧縮を高めるため、最大利得係数ｇ３を決定する。たとえば、高雑音環境において、最大利得係数ｇ３は、畳込み値Ｃが小さい限り、雑音によって生じた変化が目立たないようにするため、小さい値に維持される。画像のエッジに対応する大きい変化は、大きい利得を許容する。
【０００７】
加算器１８０からの出力Ｙｏｕｔは、画素値の最小レンジと最大レンジの範囲内に収まるようにクリップ（制限）される。クリッピング防止素子１４０は、過剰な出力クリッピングによって生ずるエイリアシングを最小限に抑えるため、最大利得係数ｇ４を決定する。一実施例において、画像はブロックに分割され、各ブロック内で行われるクリッピングの倍数は、各ブロックと関連した最大利得係数を決定するため使用される。最大利得係数は、ブロック内のクリッピングの倍数を減少させる効果がある。このブロックレベルの情報は、ブロック利得係数の双一次補間に基づいて、画素毎に利得係数ｇ４を計算することによって画素へ転送される。時間域での急速な変化を避けるため、ブロック利得係数は、たとえば、前の利得の加重和を使用して、ローパスフィルタ処理される。
【０００８】
これらの最大利得係数ｇ１、ｇ２、ｇ３及びｇ４の各々は、夫々に固有の規準の組に基づいて、実質的に発見的に決定され、屡々、実質的に異なる結果を生ずる。たとえば、値Ｙｉｎが大きく、かつ、畳込み値Ｃが正である場合、相対的に高い利得ｇ１（式２ａ）が得られるが、値Ｙｉｎが大きくなると、屡々、利得ｇ４は、クリッピングを最小限に抑えるため相対的に小さくなる。これらの競合する可能性のある利得は、控えめな値を選択することによって調和させられる。つまり、利得選択器１６０は、使用されるべき適切な利得として、利得ｇ１、ｇ２、ｇ３及びｇ４の最小値を選択する。換言すると、
最大の鮮明さ強調を得ると共に、画素値を過剰に強調する可能性のある影響を回避することを試みるため、判定された最大利得ｇ１、ｇ２、ｇ３及びｇ４の中で最小の利得が選択される。
【０００９】
上述の従来技術によるプロセスは、計算的に複雑であり、典型的に、現在画像上で使用されるべき利得を決定するため、先行の画像から獲得されたデータを使用することが必要である。これらのプロセスの結果は、ある画像と次の画像の間に高速な動きが存在する場合に、異常な結果を生じる。また、従来技術のプロセスは、プロセス間の通信を必要とするので、高帯域が必要になり、特に、一部のプロセスがソフトウェアで実現され、他のプロセスがハードウェアで実現される亜倍に、その傾向が顕著である。特に、畳込みカーネル１５０は、畳込みアルゴリズムの一様性及び繰り返し性のため、好ましくは、ハードウェアに設けられ、一方、クリッピング防止モジュール１４０は、典型的に、発見的ルールベースのアルゴリズムを利用するので、好ましくは、ソフトウェアに設けられる。帯域は制限されているので、屡々、プロセスの好ましい分配は実現できない。マルチメディア処理システムの場合、たとえば、特定の作業を実行するため、或いは、並列処理を容易にさせるために、適切な実施形態に基づく好ましい分配を行うことは実現できない場合が多い。なぜならば、そのような分配を行うためには、プロセッサ・バス間に帯域が要求されるからである。屡々、プロセッサ・バス間で転送されるデータ量を最小限に抑えるべく、ソフトウェアで実行されるべき作業がハードウェアに組み込まれ、或いは、その逆にハードウェアで実行されるべき作業がソフトウェアに組み込まれる。
【００１０】
〔発明の概要〕
本発明の目的は、ピクチャーの鮮明さ強調の間にクリッピングを防止する複雑さの軽減された方法を提供することである。本発明の更なる目的は、ピクチャーの鮮明さ強調の間に、プロセス間の依存性を減少させることである。本発明の更なる目的は、ピクチャーの鮮明さ強調の間に、コントラスト制御の結果とクリッピング制御の結果の衝突を減少させることである。本発明の更なる目的は、ピクチャーの鮮明さの強調の間に、時間的なデータ依存性を最小限に抑えることである。本発明の更なる目的は、各ピクチャーの全体的な強調可能性と、チャネルに関連した全体的な雑音とに基づいて、ピクチャーの鮮明さ強調を動的に調整することである。
【００１１】
これらの目的及びその他の目的は、各画素に適用される強調の限界（マージン）を決定するように構成されたコントラスト制御及びクリッピング装置を設けることによって達成される。この限界は、従来の畳込みカーネルモジュール及び利得制御モジュールによって決定される強調を制限するため使用される。好ましくは、限界は、決定された畳込み値とは独立であり、ピクチャーの鮮明さ強調のため使用される必要な帯域幅を最小限に抑える。必要な帯域幅を削減することにより、ハードウェア実施形態とソフトウェア実施形態の間での作業の効率的な分配が可能になり、全体的なシステム設計作業が容易になる。マルチメディア・アプリケーションの場合、プロセッサとサブコンポーネントの間で転送されるデータ量は、実質的に削減され、効率的な分配によって並列処理を容易に実現できるようになる。限界は、計算的に簡単なアルゴリズムを使用して、現在ピクチャーの画素値に基づいて決定され、ピクチャーの鮮明さ強調のため使用されるモジュール間の時間的依存性によって生じる異常性を最小限に抑える。さらに、鮮明さ強調は、平均強調レンジ、及び、全体的な雑音測定量などの全体的なピクチャーレベル特性に基づいて動的に調整される。
【００１２】
以下、一例として添付図面を参照して、本発明を詳細に説明する。全ての図面を通じて、同じ参照番号は類似、若しくは、対応した性能若しくは機能を示す。
【００１３】
〔発明の詳細な説明〕
図２は、本発明によるピクチャーの鮮明さ強調システム２００の一例のブロック図である。上述のように、図１に示された従来のシステム１００のコントラスト制御モジュール１１０及びクリッピング防止モジュール１４０は、各画素の畳込み決定強調量（ｇ＊Ｃ）を決定するため適用される利得の最大値（それぞれ、ｇ１及びｇ４）に関して、屡々、競合する結果を生ずる。本発明の好ましい一実施例において、従来技術では、独立していたコントラスト制御とクリッピング防止の機能は、図２の鮮明さ強調システム２００の一つのコントラスト及びクリッピング制御モジュール２４０に統合される。
【００１４】
クリッピングを防止するため、各画素値へ加えられる強調量は、許容可能な画素値のレンジを超えた出力画素値を生成しない。説明とわかり易さの便宜上、一例として使用される画素値の許容可能レンジは０〜２５５である。
０≦Ｙｉｎ＋Ｙｅｎｈ≦２５５　　　　（３）
しかし、これ以外のレンジを使用してもかまわない。
【００１５】
画素に対し決定された畳込み値Ｃが正であるならば、（正）の強調量Ｙｅｎｈ（＝ｇ＊Ｃ）は、２５５を超える和を生じてはならない。畳込み値Ｃが負であるならば、（負の）強調量Ｙｅｎｈは、０未満の和を生じてはならない。すなわち、式（３）は、
Ｃ≧０　であるならば、Ｙｅｎｈ≦２５５−Ｙｉｎ　　　（４ａ）
さもなければ、　｜Ｙｅｎｈ｜≧Ｙｉｎ　　　　　　　　（４ｂ）
のように再定式化できる。
【００１６】
クリッピングを伴うことなく許容可能な最大強調量Ｅｍａｘは、
Ｃ≧０　であるならば、Ｅｍａｘ＝２５５−Ｙｉｎ　　　（５ａ）
さもなければ、　｜Ｅｍａｘ｜＝Ｙｉｎ　　　　　　　　（５ｂ）
のように表現することができる。
【００１７】
上述の通り、図１に示された従来の畳込みカーネル１５０とクリッピング防止モジュール１４０の間で通信が要求されるため、モジュール１１０乃至１９０の間で帯域が必要になり、通常のクリッピング防止モジュール１４０の性能が制限され、或いは、ビデオ処理システムの分配に関する設計上の選択肢が制限される。本発明の好ましい一実施例において、コントラスト及びクリッピングモジュール２４０は、図２に示されるように、実質的に、畳込みカーネル１５０とは無関係に動作する。畳込みＣとは独立した最大強調量Ｅｍａｘを得るため、式５ａ及び５ｂは、
｜Ｅｍａｘ｜＝Ｍｉｎ（２５５−Ｙｉｎ，Ｙｉｎ）　　　（６）
によって置換される。すなわち、最大強調量を、最大正強調量と最大負強調量の最小値に制限することによって、得られる画素出力値は、許容可能な画素値のレンジ内に収まることが保証される。
【００１８】
式６が各画素値の最大許容可能強調量を決定するためそのまま適用されるならば、隣接画素への許容可能強調量は実質的に異なり、視覚的に悪影響が生じるであろう。好ましい一実施例において、各画素に対する最大強調量は、図３に示されるように、エリア全体での強調レンジの平滑化に基づいて決定される。
【００１９】
図３において、ピクチャー３１０は、ブロック３２０（３２０ａ、３２０ｂ、３２０ｃ、３２０ｄなど）に分割される。好ましい一実施例において、ブロック３２０は、１６×１６個の画素を含む。各ブロック３２０には、最大ブロック強調量３３０（３３０ａ、３３０ｂ、３３０ｃ、３３０ｄなど）が関連付けられる。最大強調量３３０は、許容可能レンジを超えて強調される画素がブロック内に存在しないことを保証するように意図されているので、ブロック強調量３３０は、ブロック内の各画素に対する最大許容可能強調量の最小値として、各画素（ｉ）に関して式（６）を用いて、
Ｂｍａｘ＝Ｍｉｎｉ［Ｍｉｎ（２５５−Ｙｉｎｉ，Ｙｉｎｉ）］　　　（７）
のように定義される。
【００２０】
ここで、ブロック内の各個の画素に対するＹｉｎと２５５−Ｙｉｎの間の最小化処理は、上述の通り、強調量を、両端の黒（０）又は白（２５５）の一方から非常に僅かな程度に制限することによって、コントラスト制御機能を実行することに注意する必要がある。
【００２１】
参照と用語の簡単化のため、用語「強調限界（マージン）」は、各画素と関連した最大許容可能強調度を定義するため使用される。各ブロック内の各画素の強調限界を式（７）に与えられたＢｍａｘ項へ制限することにより、隣接画素間での一致しない強調限界は除去されるが、各ブロック境界に不連続性と対応した視覚的な悪影響とが生じる。本発明の好ましい一実施例において、各画素に対する強調限界は、例示的な輪郭マップ３４０の表面（３４０ｋ、３４０ｌ、３４０ｍなど）によって示されるような周囲のブロック強調値（Ｂｍａｘ）の双一次補間によって決定され、以下の式に対応する。
【００２２】
【数２】
2004513569.tif 000003
式中、Ｗ（ｉ，ｘ，ｙ）は、各ブロック強調値Ｂｍａｘ（ｘ，ｙ）に関連した重みであり、各ブロック（ｘ，ｙ）の中心から画素ｉまでの距離に依存する。図３は、画素３０１の直接のエリアにおけるブロック強調値Ｂｍａｘ（ｘ，ｙ）の双一次補間によって決定された画素３０１に対する強調限界（Ｅｍａｘｉ）３４１の説明図である。強調限界３４１は、ピクチャー３１０内の画素３０１の位置に対応した輪郭表面３４０ｍ上の点Ｘである。この双一次補間は、強調限界をローパスフィルタ処理する効果もあり、ピクチャーの局所領域内の実質的に異なる強調の程度によって生じる視覚的な異常性を最小限に抑える。
【００２３】
図２に示されるように、この画素毎の強調限界２４０は、上述の式（８）によって規定されるように、強調リミッタ２５０に与えられる。畳込みカーネル１５０と、利得制限モジュール１２０及び１３０と、最小利得セレクタ１６０と、乗算器１７０は、図１に関して説明したように動作し、畳込みベースの強調量ｇ＊Ｃを強調リミッタ２５０へ供給する。本発明によれば、入力画素値Ｙｉｎに加えられ、或いは、入力画素値Ｙｉｎから差し引かれる強調量Ｙｅｎｈの絶対値は、
｜Ｙｅｎｈｉ｜＝Ｍｉｎ（Ｅｍａｘｉ，｜ｇｉＣｉ｜）　　　（９）
で表される。
【００２４】
強調量Ｙｅｎｈの符号は、項ｇ＊Ｃの符号であり、これは、畳込み値Ｃの符号と一致する。
【００２５】
このようにして、画素強調値の決定は、比較的簡単な計算を使用して行うことが可能である。強調限界の決定は、画素値と、許容可能な画素値のレンジだけに基づいて行われることに注意する必要がある。また、ｎビットの画素値の許容可能レンジが０から２ｎ−１の範囲に及ぶとき、項（最大レンジ−Ｙｉｎ）の計算は、項Ｙｉｎのｎビットを反転（１の補数）するだけで実行できる。このように簡単化することができるので、本発明による式（８）の強調限界は、現在画素の画素値に基づいて計算することが可能であり、クリッピング防止の時間的データ依存性が除かれる。
【００２６】
上記のプロセスによって、典型的なシステムの要求帯域幅を実質的に削減することが容易になる。各画素の強調限界の決定処理から各画素の畳込み値Ｃを取り除くことによって、図２のモジュール間での要求帯域幅が実質的に減少し、これにより、ハードウェアによる実施形態とソフトウェアによる実施形態の間でモジュールを必要に応じて分配することが容易になる。また、コントラスト及びクリッピングモジュール２４０の好ましい一実施例において、上記の式（８）の項Ｂｍａｘ（ｘ，ｙ）の決定はソフトウェアで実行され、画素毎に強調値Ｅｍａｘｉを決定するためのこれらの値の双一次補間は、ハードウェアで行われる。このような好ましい分配を達成できる理由は、各ブロックが典型的に数百個の画素（たとえば、１６×１６画素のブロック）に対応し、数百個の画素の項に対し、Ｂｍａｘ（ｘ，ｙ）を決定するソフトウェアを実行するプロセッサから画素毎の補間を行うハードウェアへ１個の項Ｂｍａｘ（ｘ，ｙ）を転送することによって、利用可能なプロセッサ・バス間の帯域幅の消費量がかなり減少するからである。
【００２７】
本発明の他の局面によれば、図３の限界マップは、図４に示されるように、ピクチャー全体と関連した特性に基づいて畳込み値Ｃを動的に調整するため使用される。
【００２８】
図４は、別の鮮明さ強調システム２００’の説明図である。この鮮明さ強調システム２００’は、ブロック強調係数の平均に基づいて畳込み値を調整するピクチャー適応修正ブロック４５０を備え、ピクチャー適応修正ブロック４５０は、随意的に、ピクチャー雑音測定量のようなピクチャーレベルの特性に基づいて畳込み値を調整する。平均ブロック強調限界が高くなると、鮮明さ強調の可能性が高くなり、平均ブロック強調限界が低くなると、鮮明さ強調が適用されたときにクリッピングが行われる可能性が高くなる。本発明の好ましい一実施例によれば、ピクチャー適応修正ブロック４５０は、平均ブロック強調限界が低い場合に、畳込み値Ｃを減衰させる。このようにして、雑音が存在する場合の鮮明さ強調は、一般的に、雑音によって誘発された斑点及びその他の異常性を示す。本発明の好ましい一実施例において、ピクチャー適応修正ブロック４５０は、ピクチャー若しくは通信チャネルに付随する雑音測定量が高い場合に、畳込み値Ｃを減衰させる。実際にクリッピングするレートのようなその他の経験則は、視覚的に好ましい結果が得られるように、畳込み値Ｃを動的に修正するため使用される。同様に、ピクチャーのソースの識別は、畳込み値Ｃを動的に修正するため使用される。たとえば、ＤＶＤプレーヤーからのピクチャーは、殆ど、或いは、全く強調する必要がないが、テレビ放送からのピクチャーは、伝送フォーマット及び媒体に依存して、かなりの程度の強調を必要とする。ＨＤＴＶ互換型受像機によって処理される伝送されたＨＤＴＶピクチャーは、ＨＤＴＶ型以外のピクチャーなどよりも強調の必要性が少ない。
【００２９】
図５は、本発明によるピクチャーの鮮明さ強調装置２００（又は２００’）を具備したビデオディスプレイシステム５００の一例のブロック図である。ビデオ若しくはその他の画像情報５１０のソースは、ピクチャー内の各画素の輝度のよな特徴量に対応した画素値の配列を供給する。鮮明さ強調モジュール２００は、画措置の配列の高周波成分を強調するため上述のように構成され、それにより、画像のエッジ特性を強調し、原画像よりも鮮明に見える画像を生成する。一般的に、鮮明さ強調は、スイッチ５２０によって示されるように、オプション機能として提供される。鮮明さ強調が選択されたとき、鮮明化されたピクチャーが原ピクチャーの代わりにビデオディスプレイ装置５３０へ供給される。本発明は、特に、テレビ放送、テレビ会議、及び、ビデオ再生のような順次画像の鮮明化に好適であるが、本発明の原理は、静止画像の鮮明化にも同等に適用可能であることに注意する必要がある。
【００３０】
本発明の原理を例示的に説明した。当業者は、明細書に明示的に記載若しくは提示されていなくても、本発明の原理を具現化し、請求項に記載された事項の精神及び範囲に包含される多様な構成を考え出すことができるであろう。
【図面の簡単な説明】
【図１】
従来技術によるピクチャーの鮮明さ強調システムの一例のブロック図である。
【図２】
本発明の一局面によるピクチャーの鮮明さ強調システムの一例のブロック図である。
【図３】
本発明により、各画素の最大強調レンジの判定を容易化する強調限界マップの一例の説明図である。
【図４】
本発明の他の局面によるピクチャーの鮮明さ強調システムの一例のブロック図である。
【図５】
本発明によるピクチャーの鮮明さ強調装置を含む映像表示システムの一例のブロック図である。
【図１】
2004513569.tif 000004
【図２】
2004513569.tif 000005
【図４】
2004513569.tif 000006
【図５】
2004513569.tif 000007
【国際公開パンフレット】
2004513569.tif 000008
2004513569.tif 000009
2004513569.tif 000010
2004513569.tif 000011
2004513569.tif 000012
2004513569.tif 000013
2004513569.tif 000014
2004513569.tif 000015
2004513569.tif 000016
2004513569.tif 000017
2004513569.tif 000018
2004513569.tif 000019
2004513569.tif 000020
2004513569.tif 000021
2004513569.tif 000022
2004513569.tif 000023
2004513569.tif 000024
【国際公開パンフレット（コレクトバージョン）】
2004513569.tif 000025
【国際公開パンフレット（コレクトバージョン）】
2004513569.tif 000026
【国際調査報告】
2004513569.tif 000027
2004513569.tif 000028
2004513569.tif 000029
2004513569.tif 000030
2004513569.tif 000031
2004513569.tif 000032